(57)【要約】【課題】ネクタイを二つ折にしてハンガーパイプ等に吊下げた際に、ハンガーパイプ等からネクタイが滑り落ちないようにする。【解決手段】ネクタイ1を中央付近で二つ折にしてハンガーパイプ等５に吊るした場合において、相対するネクタイ大剣部裏面３とネクタイ小剣部裏面２それぞれの適当な位置に着脱可能な結具４のそれぞれ一方を固定して設ける。  ネクタイ１をハンガーパイプ等５に吊るした後、結具４を結合させることにより、ハンガーパイプ等５を囲むようにネクタイ自身が閉じられた輪を形成し、ハンガーパイプ等５から滑り落ちるのを防止する。【選択図】図４
2010242236.tif 000002
【特許請求の範囲】
【請求項１】
ネクタイの大剣部と小剣部それぞれに対して着脱可能な結具のそれぞれ一方を、ネクタイを二つ折にした時に、大剣部裏面と小剣部裏面とが内接する状態に結合可能な位置に固定配設したことを特徴とする滑落防止ネクタイ。
【請求項２】
結具をホックとした請求項１に記載の滑落防止ネクタイ。
【請求項３】
結具をマグネットホックとした請求項１に記載の滑落防止ネクタイ。
【請求項４】
結具を面ファスナーとした請求項１に記載の滑落防止ネクタイ。
【発明の詳細な説明】
【技術分野】
【０００１】
本発明は、ネクタイをハンガーパイプ等に二つ折に吊下げた際にハンガーパイプ等からネクタイが滑落する事を防止する滑落防止ネクタイに関するものである。
【背景技術】
【０００２】
従来、ネクタイを収納する際に、ネクタイをほぼ重心の位置で二つ折にしてバランス良くハンガーパイプ等に掛けるのが通常である。このような状態で数本のネクタイをハンガーパイプ等に吊下げた場合、一つのネクタイを取り出す時に接する他のネクタイも引きずられて重心バランスを失いハンガーパイプ等から滑落してしまい、不便であった。
【０００３】
また、特許文献１にあるように、ハンガーに滑り止めを設ける等の方法はあるが、あくまでも掛け位置をずれ難くすることにより滑落し難くする程度であった。さらに、掛り位置がずれても滑落し難いがために、掛り位置が大剣部にずれて大剣部表面に皺がよるなどの不都合があった。
【０００４】
また、特許文献２にあるように、ハンガーにかけるための係止具を介することにより落下し難くする考案もされているが、その係止具をあらため購入するなどして用意しなければならず、不便であった。
【０００５】
以上のように従来ネクタイを収納する場合に、ネクタイの滑落防止対策がなされた専用器具は幾つか発明されたが、ネクタイ自身に滑落防止対策がなされたものはなかった。
【先行技術文献】
【特許文献】
【０００６】
【特許文献１】登録実用新案第３０９５３１４号公報
【特許文献２】実用新案公開平７−５４７７公報
【発明の概要】
【発明が解決しようとする課題】
【０００７】
解決しようとする問題点は、ハンガーパイプ等にネクタイを二つ折に吊るした場合に、ハンガーパイプ等からネクタイが容易に滑落する点及び、掛け位置がずれる点である。その問題を、ネクタイ自身の構造により解決することが課題である。
【課題を解決するための手段】
【０００８】
本発明は、ネクタイ1を中央付近で二つ折にしてハンガーパイプ等５に吊るした場合において、ネクタイ大剣部裏面３と相対するネクタイ小剣部裏面２それぞれの適当な位置に着脱可能な結具４のそれぞれ一方を設ける。
【０００９】
ネクタイ１をハンガーパイプ等５に吊るした後、結具４を結合させることにより、ハンガーパイプ等５を囲むように閉じられた輪を形成するネクタイである。
【発明の効果】
【００１０】
本発明は以上のように構成されているので、ハンガーパイプ等５を囲むように閉じられた輪を形成することにより、ネクタイ１がハンガーパイプ等５から滑落することを防止することができる。
【００１１】
また、ハンガーパイプ等５に対する掛け位置は重力によりほぼ一定の位置となるため、掛け位置がずれて大剣部正面に皺がよるなどの型くずれを防止できる。しかも、結具４の設置位置により掛け位置の調整が可能である。
【００１２】
上記のとおり、本発明はネクタイ自身の構造により滑落を防止するもので、外出先やオフィス等にてネクタイを外した際に、特別のハンガー等が無くても、突出物さえあれば、いつでもどこでも安定的に型くずれを心配せず吊下げることが可能である。
【００１３】
また、店舗において陳列する場合でも、結具４の位置を統一することにより、手軽に整然と吊るす事が可能となり、客が触って品定めしても安定的に整然と陳列可能である。
【図面の簡単な説明】
【００１４】
【図１】図１は本発明の正面図である。
【図２】図２は本発明の側面図である。
【図３】図３は本発明の実施形態における側面図である。
【図４】図４は本発明の実施形態における斜視図である。
【図５】図５は本発明の結具をホックとした場合の斜視図である。
【図６】図６は本発明の結具をマグネットホックとした場合の斜視図である。
【図７】図７は本発明の結具を面ファスナーとした場合の斜視図である。
【発明を実施するための形態】
【００１５】
以下本発明を実施するための最良の形態について説明する。
【００１６】
ネクタイ１のネクタイ大剣部裏面３とネクタイ小剣部裏面２に対して、着脱可能な結具のそれぞれ一方を大剣部裏面と小剣部裏面とが内接する状態に結合可能な位置に固定配設する。
【００１７】
結具４の位置は、ハンガーパイプ等５に吊下げた時に、掛け位置及び大剣部と小剣部が適切な位置となり、ネクタイを締める際に支障のない適切な位置に結具４が相対する様に配置する。
【００１８】
ネクタイ１をハンガーパイプ等５に吊下げる際には、相対する結具４を結合させることにより、安定した形態での収納が可能となる。
【００１９】
ネクタイ１使用する際には、結具４の結合部を外せば容易にハンガーパイプ等５からネクタイ１を取り外せる。
【実施例１】
【００２０】
図５は、本発明の第１の実施例の斜視図であって、結具４をホック・メス６＋ホック・オス７とした場合であり、ホックの材質は金属製または、プラスチック製どちらでもよい。
【００２１】
また、ホックを構成するホック・メス６側とホック・オス７側の設置位置は、ネクタイ大剣部裏面３側とネクタイ小剣部裏面２側のどちらでもよい。
【００２２】
また、ホックをネクタイに固定する場合に、ネクタイの芯材とネクタイ生地の合わせ目を挟んで固定することによりネクタイ自体の強度を増すことにもなる。
【実施例２】
【００２３】
図６は、本発明の第２の実施例の斜視図であって、結具４をマグネットホック・オス８＋マグネットホック・メス９とした場合であり、この図の場合ネクタイ表面生地に直接固結する形態としているが、ネクタイの芯材に固結することにより隠しホックとする事も可能である。
【００２４】
また、マグネットホックを構成するマグネットホック・オス８側とマグネットホック・メス９側の設置位置は、ネクタイ大剣部裏面３側とネクタイ小剣部裏面２側のどちらでもよい。
【００２５】
また、マグネットホックの形状は、接合面に凸凹の無い平らな形状でもよい。
【００２６】
また、マグネットホックの平面の形状は、四角あるいは、多角形の形状でもよい。
【実施例３】
【００２７】
図７は、本発明の第３の実施例の斜視図であって、結具４を面ファスナー・フック面１０＋面ファスナー・ループ面１１で構成した場合であり、この場合結具４の着脱が容易で且、ネクタイ１を締める際に突起が少なく違和感なく締められる利点がある。
【００２８】
また、面ファスナーを構成する面ファスナー・フック面１０と面ファスナー・ループ面１１の設置位置は、ネクタイ大剣部裏面３側とネクタイ小剣部裏面２側のどちらでもよい。
【００２９】
また、面ファスナーの平面の形状は、四角以外の形状でもよい。
【産業上の利用可能性】
【００３０】
製品の検査等において、パイプ等に安定した状態で複数のネクタイを連続して吊下げることが可能なため、３６０度方向からの目視検査が容易にでき、品質の向上、検査時間の短縮に役立つ。
【符号の説明】
【００３１】
１    ネクタイ
２    ネクタイ小剣部裏面
３    ネクタイ大剣部裏面
４    結具
５    ハンガーパイプ等
６    ホック・メス
７    ホック・オス
８    マグネットホック・オス
９    マグネットホック・メス
１０  面ファスナー・フック面
１１  面ファスナー・ループ面
【図１】
2010242236.tif 000003
【図２】
2010242236.tif 000004
【図３】
2010242236.tif 000005
【図４】
2010242236.tif 000006
【図５】
2010242236.tif 000007
【図６】
2010242236.tif 000008
【図７】
2010242236.tif 000009